(57)【要約】【課題】電気光学装置において、画像表示領域の際で表示される画像又は文字等が周辺領域に重なるような場合であっても、これらを容易に認識しえるようにするとともに、周辺領域と画像表示領域の濃度差の発生を極力抑えることによって見栄えのよい画像を表示する。【解決手段】互いに交差する方向に延在するデータ電極及び走査電極、これらの交差領域に対応して設けられる画素部とからなる画像表示領域を備えた電気光学装置であって、データ電極に沿っては、Ｙ方向ダミー電極が備えられている。これらのうち走査電極に印加される選択電圧、データ電極に印加されるデータ電圧、Ｙ方向ダミー電極に印加される第１電圧は、極性反転信号と図に示すような関係にあり、特に、前記第１電圧の極性反転タイミングと前記データ電圧の極性反転タイミングとが、所定の期間ＩＮＴだけ隔てられている。【選択図】　　　図９
2004037496.tif 000002
【特許請求の範囲】
【請求項１】
一方の方向に延在するデータ用導電部と、該一方の方向に交差する方向に延在する走査用導電部と、該データ用導電部及び該走査用導電部の交差領域に対応して設けられる画素部とからなる画像表示領域を備えた電気光学装置であって、
前記データ用導電部及び前記走査用導電部それぞれに対して印加されるデータ電圧及び選択電圧の極性を規定する極性反転信号を生成する制御回路と、
前記画像表示領域外の周辺領域に、前記データ用導電部に沿って設けられる第１表示領域外導電部と、
前記周辺領域に、前記走査用導電部に沿って設けられる第２表示領域外導電部とを備えてなり、
前記第１表示領域外導電部には、該第１表示領域外導電部の表示状態を常にオン状態とするような電圧であって、かつ、前記極性反転信号に応じてその極性が反転する第１電圧が印加され、
前記第２表示領域外導電部には、所定波形の第２電圧が印加され、
前記第１電圧の極性反転タイミングと前記データ電圧の極性反転タイミングとが、所定の期間隔てられていることを特徴とする電気光学装置。
【請求項２】
前記所定の期間は、前記データ電圧の立ち上がり時及び立ち下がり時の少なくとも一方における波形鈍りが生じる期間に基づいて規定されることを特徴とする請求項１に記載の電気光学装置。
【請求項３】
前記第１電圧又は前記データ電圧の極性反転のタイミングを遅延させる遅延回路を更に備え、
前記所定の期間は、前記遅延回路により規定されることを特徴とする請求項１又は２に記載の電気光学装置。
【請求項４】
前記所定の期間は、パルス信号の立ち上がり時点と立ち下がり時点との間の期間として規定されることを特徴とする請求項１乃至３のいずれか一項に記載の電気光学装置。
【請求項５】
前記所定波形の第２電圧は、
一水平走査期間の中間点でその極性が反転する電圧を含むことを特徴とする請求項１乃至４のいずれか一項に記載の電気光学装置。
【請求項６】
前記所定波形の第２電圧は、
一水平走査期間の中間点でその極性が反転する電圧であって、
前記一水平走査期間の開始時から第２の所定の期間及び前記一水平走査期間の終了時から遡る第２の所定の期間の少なくとも一方において、前記極性が反転する電圧の中間の電圧となる電圧を含むことを特徴とする請求項１乃至５のいずれか一項に記載の電気光学装置。
【請求項７】
前記所定波形の第２電圧は、
二水平走査期間以上の期間にわたって印加が続行される電圧を含むことを特徴とする請求項１乃至４のいずれか一項に記載の電気光学装置。
【請求項８】
前記データ用導電部は、第１基板上にストライプ状に形成されたデータ電極を含み、
前記走査用導電部は、第２基板上にストライプ状に形成された走査電極を含み、
前記画素部は、前記データ電極及び前記走査電極間に挟持された液晶を含むことを特徴とする請求項１乃至７のいずれか一項に記載の電気光学装置。
【請求項９】
当該電気光学装置は、ノーマリブラックモードで駆動され、
前記周辺領域は、白色表示されることを特徴とする請求項８に記載の電気光学装置。
【請求項１０】
一方の方向に延在するデータ用導電部と、該一方の方向に交差する方向に延在する走査用電部と、該データ用導電部及び該走査用導電部の交差領域に対応して設けられる画素部とからなる画像表示領域を備えた電気光学装置の駆動方法であって、
前記データ用導電部及び前記走査用導電部それぞれに対して印加されるデータ電圧及び選択電圧の極性を規定する極性反転信号を生成するステップと、
前記画像表示領域外の周辺領域に前記データ用導電部に沿って設けられた第１表示領域外導電部の表示状態を常にオン状態とするような電圧であって、かつ、前記極性反転信号に応じてその極性が反転する第１電圧の極性を反転するステップと、
該第１電圧の極性を反転するステップの完了から所定の期間経過した時点又は所定の期間遡った時点において、前記データ電圧の極性を反転するステップと
を含むことを特徴とする電気光学装置の駆動方法。
【請求項１１】
前記所定の期間は、前記データ電圧の立ち上がり時及び立ち下がり時における波形鈍りが生じる期間に基づいて規定されることを特徴とする請求項１０に記載の電気光学装置の駆動方法。
【請求項１２】
前記第１電圧の極性を反転するステップは、パルス信号の立ち上がり時及び立ち下がり時のうちの一方の際に実行され、
前記データ電圧の極性を反転するステップは、前記パルス信号の立ち上がり時及び立ち下がり時のうちの他方の際に実行されることを特徴とする請求項１０又は１１に記載の電気光学装置の駆動方法。
【請求項１３】
請求項１乃至９のいずれか一項に記載の電気光学装置を具備してなることを特徴とする電子機器。
【発明の詳細な説明】
【０００１】
【発明の属する技術分野】
本発明は、電気光学装置及びその駆動方法並びに電子機器の技術分野に属し、特に、ストライプ状の電極を列設した基板を液晶等の電気光学物質を介して二枚重ね合わせることで、画像を表示することの可能な液晶装置等の電気光学装置及びその駆動方法、並びに、そのような電気光学装置を具備してなる電子機器の技術分野に属する。
【０００２】
【背景技術】
近年、液晶等の電気光学物質の電気光学的変化を利用して、画像を表示することの可能な電気光学装置が、各種の電子機器やテレビなどに広く用いられている。これによれば、従来の陰極線管（ＣＲＴ）を用いたテレビ等では達成し得なかった、薄型化、小型化、低消費電力化等といった数多くの特徴を享受することができる。
【０００３】
このような電気光学装置には、既に数多くの形態となるものが提案されているが、その多くは適当な基準により分類することができる。例えば、駆動方式等による分類が一般的になされ、具体的には、スイッチング素子により画素を駆動するアクティブ・マトリクス型と、スイッチング素子を用いないで画素を駆動するパッシブ・マトリクス型とに大別することができる。このうち、後者のパッシブ・マトリクス型の電気光学装置は、一の方向に沿って延在するセグメント電極としての複数のデータ電極、これに交差する他の方向に沿って延在するコモン電極としての走査電極、並びに該データ電極及び該走査電極間に挟持された液晶等の電気光学物質（以下、「液晶」に代表させる。）を備えている。これにより、例えば、液晶を誘電体とし、データ電極及び走査電極を一対の電極とする、コンデンサ、すなわち液晶容量が構成されることになる。
【０００４】
【発明が解決しようとする課題】
しかしながら、従来における電気光学装置においては次のような問題があった。すなわち、上述の電気光学装置では、前記走査電極及びデータ電極等が構成されている部位をもって、画像表示領域が規定されるが、この画像表示領域の際（きわ）において、何らかの画像又は文字等を表示すると、これらを画像として認識しにくい、又は、文字として読みにくいという事態が発生していたのである。これは、画像表示領域の外に位置する何ら表示に寄与することのない周辺領域と、前記画像又は文字等とが同じような階調で重なり合うことによる。
【０００５】
より具体的には、ノーマリブラックモードでは、前記周辺領域は通常黒色となっているため、前記画像又は文字等を、黒色、あるいはこれに近い階調で表現した場合には、当該画像又は文字等の端が前記周辺領域にかかることによって、それらの認識が困難となるということになる。逆に、ノーマリホワイトモードであって、前記画像又は文字等を白色、あるいはこれに近い階調で表現する場合においても、同様な問題が生じる。
【０００６】
このような問題に対処するため、前記周辺領域に対応させてダミーの電極を設け、該周辺領域を、画像表示領域に表示される画像又は文字等の階調とは異なる階調で表示するということが考えられる。例えば、ノーマリブラックモードでは、画像表示領域に表示される画像又は文字等は黒色で表現されることが一般的であるから、その周辺領域は白色にするなどということである。このようにすれば、画像表示領域の際に表示される画像又は文字等と周辺領域との境界をはっきりさせることができ、該画像又は文字等の認識を確実になすことができる。
【０００７】
しかしながら、このような措置をとるのみでは、周辺領域と画像表示領域との間で濃度差が発生することがあり、これが画像全体の見栄えを損なわせるおそれがあった。これは、以下のような事情による。なお、ここでは、上述のパッシブ・マトリクス駆動の電気光学装置を例として、これがノーマリブラックモード、かつ、適当な極性反転を受けながら駆動されている場合を想定して説明することとする。
【０００８】
まず、周辺領域を白色表示させるためには、前記のダミー電極には、常に、白色表示させるべき波形の電圧が印加されることになる。これに対して、画像表示領域におけるデータ電極には、時々刻々と表示内容を変える画像又は文字等を表示させるべき波形の電圧が印加される。ここで、白色表示させるべき波形の電圧とは、通常、切り替え数の少ない（すなわち、極性反転数の少ない）波形の電圧ということになる（画像表示領域で白色の階調を表示させるべき場合と同様と考えることができる。）。一方、時々刻々と表示内容を変える画像又は文字等を表示させるべき波形の電圧とは、通常、切り替え数の多い（すなわち、極性反転数の多い）波形の電圧ということになる。
【０００９】
ここで更に、電圧の切り替え時点、すなわち波形の立ち上がり時点及び立ち下がり時点においては、通常、電圧値がある値から別の値に完全に急峻に切り替わるのではなく、一定の時間の経過をまって、そのような切り替わりが行われる。つまり、当該時点においては、いわゆる「波形鈍り」が生じるのである。このような波形鈍りを考慮すると、前述の説明から明らかなように、画像表示領域の方が周辺領域よりも、該波形鈍りの影響をより大きく受けることとなる。つまり、周辺領域では、ダミー電極に印加される電圧の切り替わり数が少ないため、波形鈍り成分による影響の少ない電圧が印加されるのに対し、画像表示領域ではちょうどその逆となり、その結果、両者間で濃度差が生じてしまうことになるのである。より具体的には、周辺領域は、画像表示領域よりも、より明るく表示されることとなる。
【００１０】
以上のように、周辺領域と画像表示領域との間には濃度差が生じることになり、これが画像全体の見栄えを損なわせることになる。
【００１１】
本発明は、上記問題点に鑑みてなされたものであり、画像表示領域の際で画像又は文字等を表示する場合であっても、その認識を容易になしえるとともに、周辺領域と画像表示領域の濃度差の発生を極力抑えることによって見栄えのよい画像を表示することの可能な電気光学装置及びその駆動方法並びに電子機器を提供することを課題とする。
【００１２】
【課題を解決するための手段】
本発明の電気光学装置は、上記課題を解決するため、一方の方向に延在するデータ用導電部と、該一方の方向に交差する方向に延在する走査用導電部と、該データ用導電部及び該走査用導電部の交差領域に対応して設けられる画素部とからなる画像表示領域を備えた電気光学装置であって、前記データ用導電部及び前記走査用導電部それぞれに対して印加されるデータ電圧及び選択電圧の極性を規定する極性反転信号を生成する制御回路と、前記画像表示領域外の周辺領域に、前記データ用導電部に沿って設けられる第１表示領域外導電部と、前記周辺領域に、前記走査用導電部に沿って設けられる第２表示領域外導電部とを備えてなり、前記第１表示領域外導電部には、該第１表示領域外導電部の表示状態を常にオン状態とするような電圧であって、かつ、前記極性反転信号に応じてその極性が反転する第１電圧が印加され、前記第２表示領域外導電部には、所定波形の第２電圧が印加され、前記第１電圧の極性反転タイミングと前記データ電圧の極性反転タイミングとが、所定の期間隔てられている。
【００１３】
本発明の電気光学装置によれば、データ用導電部及び走査用導電部の交差領域に対応して設けられる画素部を駆動することによって、画像を表示することが可能となる。ここで、データ用導電部及び走査用導電部とは、例えばいわゆるデータ電極（セグメント電極）及び走査電極（コモン電極）等を想定することができ、画素部とは、例えば、データ電極及び走査電極の各一部と、これらの間に挟持された液晶等からなるものを想定することが可能である。これによれば、走査電極及びデータ電極に対して、選択電圧及びデータ電圧を供給することで、これを所定の電位とすることによって、液晶に所定の電界を印加することが可能となる。そして、その結果、液晶分子の配向状態等が変化することで、画素毎の光の透過率が変化することになり、画像を表示することが可能となる。
【００１４】
また、本発明では、データ用導電部及び走査用導電部に対して印加する電圧の極性を規定する極性反転信号を生成する制御回路が備えられている。ここに、「極性」とは、一般に、適当な電圧Ｖｍ（「Ｖｍ＝０」を勿論含む。）を基準に、（Ｖｍ＋Ｖ）ボルト（以下、「プラス極性」ともいう。）及び（Ｖｍ−Ｖ）ボルト（以下、「マイナス極性」ともいう。）なる二つの電位を指示する用語である。したがって、「極性反転」とは、このうちの前者から後者へ、又は、後者から前者へという電位の切り替えのことをいう。このような極性の反転を、データ用導電部及び走査用導電部において適当に実行すれば、クロストークを減少させたり、液晶に常に一方向の直流電圧がかかるという事態を回避することが可能となることで、液晶の劣化を防止することができる。
【００１５】
ここで本発明では特に、前記データ用導電部に沿って第１表示領域外導電部が設けられており、かつ、該第１表示領域外導電部には、その表示状態を常にオン状態とするような電圧であって、かつ、前記極性反転信号に応じてその極性が反転する第１電圧が印加される。
【００１６】
すなわち、まず、第１表示領域外導電部は、前記データ用導電部に沿って設けられている。これは、第１表示領域外導電部が、走査用導電部と交差するように配列されていることを意味する。そして、この第１表示領域外導電部には、その表示状態を常にオン状態とするような第１電圧がかけられている。ここで「オン状態」というのは、前記極性反転信号に応じて、前述のプラス極性及びマイナス極性いずれかの電圧の印加がなされることを意味している。このように、第１表示領域外導電部の表示状態が常にオン状態とされていれば、第１表示領域外導電部と交差する如何なる走査用導電部が選択されたとしても、この第１表示領域外導電部に対応する画素部の表示状態は常にオン状態とされることになる。つまり、当該画素部では、常に、白色表示又は黒色表示をなすことが可能となるのである。
【００１７】
他方、第２表示領域外導電部は、走査用導電部の配列に沿って設けられている。これは、第２表示領域外導電部が、データ用導電部と交差するように配列されていることを意味する。そして、この第２表示領域外導電部には、所定波形の第２電圧が印加される。ここに「所定波形の第２電圧」とは、例えば後述するように、一水平走査期間の中間点でその極性を反転する電圧などが該当する。このようにすれば、第２表示領域外導電部に対応する画素部の表示状態もまた、常にオン状態とされることになり、当該画素部では常時の白色表示又は黒色表示がなされることになる。なお、このようなことが実現される理由については、後述の「所定波形の第２電圧」の具体的態様に関する説明、及び、本発明の実施の形態において詳細に触れることとする。
【００１８】
以上の結果、要するに、本発明によれば、周辺領域内の第１表示領域外導電部及び第２表示領域外導電部が形成されている部分においては、常に、白色表示又は黒色表示が行われることになる。したがって、画像表示領域に表示される画像又は文字等が黒色又は白色等で表示されても、これらと周辺領域との境界が定かではなく、該画像又は文字等が認識しにくいという事態を回避することが可能であり、より高品質な画像を表示することが可能となる。
【００１９】
そして、本発明では更に、前記第１電圧の極性反転タイミングと前記データ電圧の極性反転タイミングとが、所定の期間隔てられている。
【００２０】
ここで、「所定の期間隔てられている」とは、第１電圧の極性反転タイミングからみて、データ電圧のそれが、所定の期間経過した時点である、又は、所定の期間遡った時点である、という、いずれの場合をも意味する。なお、走査用導電部に印加される選択電圧もまた、前記極性反転信号に応じてその極性を反転するが、その極性反転タイミングは前記データ電圧の極性反転タイミングと同時である。
【００２１】
すなわち、前者（所定の期間の経過）の場合では、まず、極性反転信号の指示に応じて、第１電圧の極性反転タイミングが訪れ、その所定の期間の経過後、データ電圧の極性反転タイミングが訪れるということになる。つまり、データ電圧の極性反転が未だ訪れていないのに、第１電圧の極性が反転していることになる。例えば、マイナス極性からプラス極性への反転に際し、第１電圧は、一足先にプラス極性に対応したものとして、第１表示領域外導電部に印加されることになるのである。したがって、この場合においては、データ電圧と第１電圧とが全く同時に極性反転した場合に表示されるべきであった階調よりも、より濃い階調（ノーマリブラックモードの場合）又はより淡い階調（ノーマリホワイトモードの場合）が表示されることになる。なお、選択電圧は、データ電圧の反転時点と同時に反転されているから、本来表示すべき階調の画像は、本来の階調で表示されることになる。
【００２２】
より具体的には、本発明に係る電気光学装置が液晶装置であって、かつ、ノーマリブラックモードで駆動される場合においては、周辺領域は白色表示されることになるから、上記したような第１電圧及びデータ電圧の極性反転タイミングの調整によると、第１表示領域外導電部に基づく画像の階調（すなわち、周辺領域における階調）は、上述のような措置を施さない場合に表示されるべきであった階調よりも濃くなるということになる。つまり、波形鈍りの影響を大きく受けて、より濃く表示されている画像表示領域に合わせるように、周辺領域が濃くなることになるから、両者間の濃度差を極力小さくすることが可能となるのである。
【００２３】
このようなことは、前述における後者の場合、すなわち第１電圧の極性反転タイミングからみて、データ電圧等の極性反転タイミングが所定の期間遡った時点であるという場合でも、全く同様にいえる。
【００２４】
このように、本発明によれば、周辺領域と画像表示領域との間における濃度差を有効に解消することが可能となるから、画像全体の見栄えを損なうことのない、より高品質な画像を表示することが可能となるのである。
【００２５】
ちなみに、本発明にいう「極性反転タイミング」は、基本的に、どのように設定されてもよい。例えば、走査用導電部の１本又は数本ずつ毎に極性反転が行われるという場合や、１フレームごとに極性反転を行う場合、すなわち、走査用導電部のすべてについて一の極性による選択を行った後、再び最初から走査用導電部の選択を行う場合におけるその時点において極性反転を行う場合等が考えられる。
【００２６】
そして、本発明によれば、このように極性反転タイミングが任意に設定される場合であっても、これに起因する周辺領域と画像表示領域との濃度差を、いわば自動的に解消することが可能となる。これは、極性反転タイミングがどのように設定されようとも、第１電圧の極性反転タイミングとデータ電圧の極性反転タイミングとの間には、所定の期間が設けられることから、極性反転時における波形鈍りにより印加電圧差は、当該期間の経過によって自動的に補正されるからである。
【００２７】
なお、本発明にいう「データ用導電部」及び「走査用導電部」とは、上記の例示に限定されるものではない。例えば、データ用導電部及び走査用導電部が、いわゆる走査線及びデータ線であって、かつ、いずれか一方には、スイッチング素子としての薄膜ダイオード（ＴＦＤ）を介して画素電極が接続された形態としてもよいし、また、前記スイッチング素子として、薄膜トランジスタ（ＴＦＴ）を備えた形態としてもよい。これらによれば、いわゆるアクティブマトリクス駆動が可能となるのは周知である。
【００２８】
また、本発明は、前記画素部に液晶を備えるもののみに限定されるものではない。例えば、適当なバインダ内に分散された粉末ＥＬ（エレクトロ・ルミネッセンス）、あるいは無機又は有機ＥＬ等を挙げることもできる。この場合においては、データ用導電部及び走査用導電部に対する通電と、前記ＴＦＴ等のスイッチング素子によるスイッチング動作とを併せ実行することによって、該ＥＬに対して所定の電界を印加することが可能となる。これにより、該ＥＬはそれ自身が発光することで、画像が表示されるというメカニズムとなる。
【００２９】
本発明の電気光学装置の一態様では、前記所定の期間は、前記データ電圧の立ち上がり時及び立ち下がり時の少なくとも一方における波形鈍りが生じる期間に基づいて規定される。
【００３０】
この態様によれば、周辺領域と画像表示領域の濃度差解消をより有効に実現することができる。というのも、上述のように、第１電圧は、極性反転信号に応じてその極性が反転するのみであって、基本的に、その極性反転数は多くはないのに対して、データ電圧は画像信号、すなわち表示すべき画像又は文字等に応じた信号であるため、その極性反転数は、第１電圧に比べて多くなる。したがって、データ電圧の方が、第１電圧よりも、波形鈍りの影響を受けやすく、本来表示すべき階調よりも、実際に表示される階調はそれよりも濃い等ということが起こり得る。これは、周辺領域と画像表示領域との濃度差を生じさせる主要な原因となる。
【００３１】
しかるに、本態様においては、前記所定の期間が、データ電圧の立ち上がり時及び立ち下がり時の少なくとも一方の波形鈍りが生じる期間に基づいて規定されるから、上述のような不具合をより有効に解消することが可能となる。これは、上述したような波形鈍りに起因して発生する画像上の濃度の変移を解消するように、周辺領域の濃度が決定されることになるからである。
【００３２】
なお、本態様の最も好ましい形態の一つとしては、例えば、波形鈍りが生じる期間を、「所定の期間」に一致させるようにすればよい。これは、最も簡単な「所定の期間」の決定方法の一つでもある。
【００３３】
本発明の電気光学装置の他の態様では、前記第１電圧又は前記データ電圧の極性反転のタイミングを遅延させる遅延回路を更に備え、前記所定の期間は、前記遅延回路により規定される。
【００３４】
この態様によれば、第１電圧の極性反転タイミングに対するデータ電圧の極性反転タイミングの「所定の期間」にわたる遅延、又はその逆に係る遅延を、より容易に実現することが可能となる。なお、この場合における遅延回路は、例えば、前記制御回路と、第１表示領域外導電部との間、より具体的には、該第１表示領域外導電部に供給される第１電圧を生成する回路との間の適当な位置に置くようにすればよい。
【００３５】
更に具体的には、相互に極性が反転した第１電圧を供給するアナログスイッチと、該アナログスイッチによる電圧供給を制御するフリップフロップとの間の適当な位置、あるいは前記フリップフロップの動作を制御するクロック信号の供給線上の適当な位置等に置くようにすればよい。また、遅延回路としては、具体的には例えば、一般的なＲＣ回路等をあてるとよい。
【００３６】
本発明の電気光学装置の他の態様では、前記所定の期間は、パルス信号の立ち上がり時点と立ち下がり時点との間の期間として規定される。
【００３７】
この態様によれば、電気光学装置を駆動するために、必要となる各種のパルス信号を利用することにより、第１電圧の極性反転タイミングに対するデータ電圧の極性反転タイミングの「所定の期間」にわたる遅延、又は、その逆に係る遅延を、より容易に実現することが可能となる。
【００３８】
なお、この場合における「パルス信号」としては、例えば、一水平走査期間を規定するクロック信号のパルスなどを用いるのが好ましい。
【００３９】
本発明の電気光学装置の他の態様では、前記所定波形の第２電圧は、一水平走査期間の中間点でその極性が反転する電圧を含む。
【００４０】
この態様によれば、該第２表示領域外導電部と交差するデータ電極にどのような電圧が印加されたとしても、第２表示領域外導電部に対応する画素部の表示状態は常にオン状態とされていることになる。なお、ここに「一水平走査期間」とは、前記走査電極の１本又は数本が同時に、選択されている期間を意味する。また、「極性が反転する」とは、既に述べとおりの意義である。
【００４１】
例えば、この第２表示領域外導電部は、前記の第１表示領域外導電部とも交差しているが、この第１表示領域外導電部の表示状態は上述したように常にオン状態とされている。いま、この「オン状態」というのがプラス極性たるＶｍ＋Ｖｓであるとすれば、例えば、一水平走査期間の前半では、この（Ｖｍ＋Ｖｓ）と走査用導電部に印加される電圧（Ｖｍ−Ｖｃ）との差（Ｖｓ＋Ｖｃ）が液晶にかかることとなり、その後半では、（Ｖｍ＋Ｖｓ）と（Ｖｍ＋Ｖｃ）との差（Ｖｓ−Ｖｃ）が液晶にかかることになる。ここで更に、Ｖｓ＝Ｖｃと仮定すれば、後半部分では、液晶には全く電圧がかからなくなるが、前半部分ではＶｓ＋Ｖｃ＝２Ｖｓ＝２Ｖｃなる電圧がかかることになる。したがって、Ｖｓ又はＶｃを適当に設定すれば、当該液晶にかかる実効電圧値を十分に稼ぐことが可能となり、当該画素部において、白色表示又は黒色表示を行うことが可能となる。
【００４２】
そして、このような事象は、第１表示領域外導電部と同様に配列されているデータ用導電部についても全く同様に生じる。この場合、データ用導電部には、被選択の走査用導電部に向けて所定のデータ電圧を印加するために、時々刻々と種々のレベルの電圧が印加されることになるが、上述したように第２表示領域外導電部に一水平走査期間の前半と後半とで極性が反転する電圧が印加されることで、必ず、当該一水平走査期間内の実効電圧値を所定値以上、すなわち白色又は黒色表示可能な以上の実効電圧値を液晶に与えることが可能となるのである。
【００４３】
その結果、本態様によれば、第２表示領域外導電部に対応する周辺領域（すなわち、走査用導電部に平行な周辺領域）において、より好適に白色表示又は黒色表示を実現することが可能となる。
【００４４】
本発明の電気光学装置の他の態様では、前記所定波形の第２電圧は、一水平走査期間の中間点でその極性が反転する電圧であって、前記一水平走査期間の開始時から第２の所定の期間及び前記一水平走査期間の終了時から遡る第２の所定の期間の少なくとも一方において、前記極性が反転する電圧の中間の電圧となる電圧を含む。
【００４５】
この態様によれば、第２表示領域外導電部には、前述と同様に、一水平走査期間の中間点でその極性が反転する電圧がかかることは同様である。したがって、この点に関する上述した作用効果は略同様に奏されることとなる。
【００４６】
ここで本態様では特に、一水平走査期間の開始時から第２の所定の期間及び一水平走査期間の終了時から遡る第２の所定の期間の少なくとも一方において、前記極性が反転する電圧の中間の電圧が印加される。すなわち、本態様によれば、この第２の所定の期間の長さ如何によって、液晶にかかる実効電圧値の調整を行うことが可能となるのである。例えば、上述したような第２電圧を用いるのでは、液晶に余りに過剰な実効電圧がかかるという場合には、前記第２の所定の期間をできるだけ長期化するなどの措置をとればよい。
【００４７】
また、本態様によれば、周辺領域を白色表示又は黒色表示にするのではなくて、これらの間の中間調の表示を行うことが可能となる。例えば、濃い灰色表示としたり、淡い灰色表示としたりする等ということである。これも、液晶にかかる実効電圧値を調整可能であることによるに他ならない。これにより、本態様に係る電気光学装置の使用環境等に応じて、最も好適な周辺領域における表示を行うことも可能となる。
【００４８】
本発明の電気光学装置の他の態様では、前記所定波形の第２電圧は、二水平走査期間以上の期間にわたって印加が続行される電圧を含む。
【００４９】
この態様によれば、第２表示領域外導電部には、二水平走査期間以上の長期にわたって電圧が印加される。すなわち、この場合においては、液晶に対する電圧印加時間を長くとることによって、それにかかる実効電圧値を稼ぐことが可能となる。
【００５０】
したがって、このような場合においても、周辺領域において白色表示又は黒色表示を行うことが可能となる。
【００５１】
なお、本態様では、三水平走査期間、あるいは四水平走査期間というように、三つ以上の水平走査期間にわたって第２電圧を印加する形態としてもよいが、あまりに長期にわたって液晶に電圧を印加することは適当でないので、最も好ましくは、二水平走査期間程度とするのがよい。
【００５２】
本発明の電気光学装置の他の態様では、前記データ用導電部は、第１基板上にストライプ状に形成されたデータ電極を含み、前記走査用導電部は、第２基板上にストライプ状に形成された走査電極を含み、前記画素部は、前記データ電極及び前記走査電極間に挟持された液晶を含む。
【００５３】
この態様によれば、いわゆるパッシブ・マトリクス駆動が可能となる。すなわち、走査電極及びデータ電極を、それぞれ所定の電位とすることによって、これらの間に挟持された液晶に適当な電界を印加することが可能となり、液晶分子の配向状態等を変化させ、光の透過率を変化させることによって、画像を表示することが可能となるのである。
【００５４】
そして、本発明に係る構成は、本態様に係るパッシブ・マトリクス駆動が可能な構成を採る電気光学装置に対して、最も好適に適用することが可能である。
【００５５】
この態様では特に、当該電気光学装置はノーマリブラックモードで駆動され、前記周辺領域は白色表示されるようにするとよい。
【００５６】
このような構成によれば、ノーマリブラックモードで駆動される電気光学装置においては、その画像表示領域において表示される文字又は画像等は、通常、黒色で表示されることからして、本発明に係る作用効果を最大限に享受しうる一態様であるということができる。
【００５７】
本発明の電気光学装置の駆動方法は、上記課題を解決するため、一方の方向に延在するデータ用導電部と、該一方の方向に交差する方向に延在する走査用導電部と、該データ用導電部及び該走査用導電部の交差領域に対応して設けられる画素部とからなる画像表示領域を備えた電気光学装置の駆動方法であって、前記データ用導電部及び前記走査用導電部それぞれに対して印加されるデータ電圧及び選択電圧の極性を規定する極性反転信号を生成するステップと、前記画像表示領域外の周辺領域に前記データ用導電部に沿って設けられた第１表示領域外導電部の表示状態を常にオン状態とするような電圧であって、かつ、前記極性反転信号に応じてその極性が反転する第１電圧の極性を反転するステップと、該第１電圧の極性を反転するステップの完了から所定の期間経過した時点又は所定の期間遡った時点において、前記データ電圧の極性を反転するステップとを含む。
【００５８】
本発明の電気光学装置の駆動方法によれば、上述した本発明の電気光学装置を好適に運用することが可能であるとともに、該電気光学装置により奏された作用効果と同様な作用効果を享受することが可能となる。すなわち、本発明に係る駆動方法によれば、第１電圧の極性を反転するステップよりも、所定の期間経過した時点又は所定の期間遡った時点で、データ電圧及び選択電圧の極性を反転するステップが実行されることにより、例えば、データ電圧がマイナス極性（又はプラス極性）時においてプラス極性（又はマイナス極性）に対応した第１電圧が、前記所定の期間中、印加されるということが実現されることから、周辺領域と画像表示領域との間の濃度差を有効に解消することが可能となり、画像全体としての見栄えを向上させることができる。
【００５９】
本発明の電気光学装置の駆動方法の一態様では、前記所定の期間は、前記データ電圧の立ち上がり時及び立ち下がり時における波形鈍りが生じる期間に基づいて規定される。
【００６０】
この態様によれば、所定の期間を好適に設定することが可能となる。特に、本態様では、上述のように、画像表示領域では波形鈍りの影響をより大きく受けることに着目すると、画像表示領域におけるデータ用導電部の影響をより有効に解消することが可能となる。
【００６１】
本発明の電気光学装置の駆動方法の他の態様では、前記第１電圧の極性を反転するステップは、パルス信号の立ち上がり時及び立ち下がり時の一方の際に実行され、前記データ電圧の極性を反転するステップは、前記パルス信号の立ち上がり時及び立ち下がり時の他方の際に実行される。
【００６２】
この態様によれば、電気光学装置を駆動するために、必要となる各種のパルス信号を利用することにより、第１電圧の極性反転タイミングに対するデータ電圧の極性反転タイミングの「所定の期間」にわたる遅延、又は、その逆に係る遅延を、より容易に実現することが可能となる。
【００６３】
なお、この場合における「パルス信号」としては、例えば、一水平走査期間を規定するクロック信号のパルスなどを用いるのが好ましい。
【００６４】
本発明の電子機器は、上記課題を解決するために、上述した本発明の電気光学装置（但し、その各種態様を含む。）を具備してなる。
【００６５】
本発明の電子機器によれば、上述の本発明の電気光学装置を具備してなるから、周辺領域において、画像表示領域に表示される画像又は文字等の階調とは異なる階調の表示、あるいは白色表示又は黒色表示が行われることにより、該画像又は文字等が周辺領域と重なり合ることによって、これらが認識しにくいという事態を招くことがなく、しかも、この周辺領域における濃度は、画像表示領域における濃度との間で差が生じることを極力避けることが可能となり、見栄えのよい画像を表示することが可能な、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００６６】
本発明のこのような作用及び他の利得は次に説明する実施の形態から明らかにされる。
【００６７】
【発明の実施の形態】
以下では、本発明の実施の形態について図を参照しつつ説明する。以下の実施形態は、本発明の電気光学装置を液晶装置に適用したものである。
【００６８】
（第１実施形態）
最初に、本発明の第１実施形態に係る電気光学装置の概要について、図１乃至図４を参照しながら説明する。なお、以下では、第１実施形態に係る電気光学装置の概要を、その電気的構成及び機械的構成に分けた上で説明する。
【００６９】
＜電気的構成＞
まず、第１実施形態に係る電気光学装置の電気的構成について、図１を参照しながら説明する。ここに図１は、第１実施形態に係る電気光学装置の電気的構成を示す説明図である。
【００７０】
図１において、電気光学装置は、複数のデータ電極２１２（セグメント電極）２１２が列（Ｙ）方向に延在して形成される一方、複数の走査電極３１２（コモン電極）３１２が行（Ｘ）方向に延在して形成されている。これらデータ電極２１２及び走査電極３１２間には電気光学物質の一例たる液晶が挟持されており、データ電極２１２及び走査電極３１２を一対の電極、前記液晶を誘電体とする画素部１１６が構成されている。なお、第１実施形態においては、走査電極３１２の数及びデータ電極２１２の数を、それぞれ一般に、ｍ本及びｎ本あるものとする。
【００７１】
そして第１実施形態においては特に、図１に示すように、走査電極３１２が配列されてなるＸ方向に沿い、かつ、１行目及びｍ行目の走査電極３１２のそれぞれ外側（図１でいえば、図中上側及び下側）に位置するように、Ｘ方向ダミー電極（第２表示領域外導電部）３９０が２本ずつ設けられている。また、データ電極２１２が配列されてなるＹ方向に沿い、かつ、１列目及びｎ列目のデータ電極２９０のそれぞれ外側（図１でいえば、図中左側及び右側）に位置するように、Ｙ方向ダミー電極（第１表示領域外導電部）４９０が２本ずつ設けられている。これにより、第１実施形態では、Ｘ方向ダミー電極３９０と、データ電極２１２及びＹ方向ダミー電極２９０との交差領域、並びに、Ｙ方向ダミー電極２９０と、走査電極３１２及びＸ方向ダミー電極３９０との交差領域には、それぞれ、液晶１１８Ｄが挟持され、画素部１１６Ｄが構成されることになる。
【００７２】
なお、ここで「ダミー」というのは、これらダミー電極２９０及び３９０は、画像表示には直接には寄与しないということの意である。つまり、第１実施形態において、画像表示に寄与することとなるのは、１〜ｍ行目までの走査電極３１２、及び、１〜ｎ列目までのデータ電極２１２である。また、これにより、第１実施形態に係る「画像表示領域」は、これら１〜ｍ行目の走査電極３１２及び１〜ｎ列目のデータ電極２１２並びにこれらの交差に対応する液晶１１８を含む画素部１１６によって規定される（図１中符号ＤＡＲ参照）。一方、「周辺領域」とは、このように規定された画像表示領域ＤＡＲ外の領域を指すことになる。なお、この定義より明らかなように、Ｘ方向ダミー電極３９０及びＹ方向ダミー電極２９０、並びに、これらにより挟持される液晶１１８Ｄあるいは画素部１１６Ｄは、それぞれ、周辺領域に形成されていることになる。
【００７３】
さて、前記走査電極３１２には、走査電極駆動回路３５０が接続されており、これにより走査電極３１２の各々に対しては、走査信号が供給される。より具体的には、走査電極駆動回路２５０は、複数の走査電極３１２一本一本を、後述するような順序で「選択」する作用を担い、選択された走査電極３１２に対しては選択電圧が、そうでない走査電極３１２に対しては非選択電圧が、それぞれ供給されることになる。また、前記データ電極２１２には、データ電極駆動回路２５０が接続されており、これによりデータ電極２１２の各々に対しては、データ信号が供給される。
【００７４】
ここで、前述したＸ方向ダミー電極３９０及びＹ方向ダミー電極２９０は、これら走査電極駆動回路２５０及びデータ電極駆動回路３５０には接続されておらず、通常の走査電極３１２及びデータ電極２１２とは、別の信号供給を受けるようになっている。
【００７５】
より具体的には、Ｘ方向ダミー電極３９０及びＹ方向ダミー電極２９０には、図１に示すように、ダミー電極駆動回路９００が接続されている。そして、このダミー電極駆動回路９００は、図２に示すような構成を備えている。この図２において、ダミー電極駆動回路９００は、フリップフロップＤＦＦ１及びＤＦＦ２、カウンタＣＴ及びアナログスイッチＡＳ１及びＡＳ２から構成されている。フリップフロップＤＦＦ１には、入力Ｄとして極性反転信号ＦＲが供給され、入力ＣＫとしてクロック信号ＨＣＫが供給されている（これらの信号ＦＲ及びＨＣＫは後述する制御回路４００から出力される。）。一方、出力Ｑは、アナログスイッチＡＳ１に供給されている。アナログスイッチＡＳ１では、この出力Ｑの値に応じ、出力電圧＋Ｖ１及び−Ｖ１のいずれか一方を、Ｙ方向ダミー電極２９０に対して供給する。
【００７６】
なお、ここで「＋Ｖ１」及び「−Ｖ１」というのは、それぞれ、「プラス極性」及び「マイナス極性」を表しており、上述した記述方法に合わせれば、＋Ｖ１＝Ｖｍ＋Ｖ及び−Ｖ１＝Ｖｍ−Ｖで、Ｖｍ＝０、Ｖ＝Ｖ１ということである。このように、第１実施形態では、全体的に（すなわち、後述するデータ電圧等についても）、基準となる中間電圧を０〔Ｖ〕としているが、本発明は、このような形態に限定されるわけではなく、一般に、Ｖｍ≠０なる場合における極性反転を行うようにしてよい。
【００７７】
他方、カウンタＣＴには、クロック信号ＨＣＫとクロック信号ＳＣＫとが供給されている（この信号ＳＣＫは後述する制御回路４００から出力される。）。このカウンタＣＴは、クロック信号ＨＣＫを起点としてクロック信号ＳＣＫを所定数カウントし、そのカウント結果に応じてカウント信号ＣＫ１を出力する。そして、このカウンタ信号ＣＫ１は、フリップフロップＤＦＦ２の入力ＣＫとして供給されている。また、フリップフロップＤＦＦ２では、その入力Ｄとしては、自身の出力／Ｑが供給されるようになっている（すなわち、このフリップフロップＤＦＦ２は、Ｔ−フリップフロップとして機能する。）。そして、その出力Ｑは、アナログスイッチＡＳ２に供給されている。アナログスイッチＡＳ２では、この出力Ｑの値に応じて、出力電圧＋Ｖ１及び−Ｖ１のいずれか一方を、Ｘ方向ダミー電極３９０に対して供給する。
【００７８】
一方、図１に戻り、制御回路４００は、階調データや各種制御信号、前述の極性反転信号ＦＲ、クロック信号ＨＣＫ及びＳＣＫなどを供給して、前記データ電極駆動回路２５０及び走査電極駆動回路３５０並びにダミー電極駆動回路９００等を制御するものである。ちなみに、第１実施形態において特に関係のある信号は、既に触れたクロック信号ＨＣＫ及びＳＣＫ、並びに極性反転信号ＦＲである。ここに、クロック信号ＨＣＫは、走査電極３１２の１本ずつ又は数本ずつの選択を制御するための信号であって、一水平走査期間（１Ｈ）を規定する。また、クロック信号ＳＣＫは、一水平走査期間内における、データ電極２１２の１本ずつに対するデータ信号の転送を制御するための信号である。また、極性反転信号ＦＲは、走査電極３１２を選択するための選択電圧の極性をプラス及びマイナスのいずれにするか、あるいはデータ電極２１２に印加するデータ信号の極性をプラス及びマイナスのいずれにするかを決める信号である。これらの信号のより具体的な使われ方については、後に改めて触れる。
【００７９】
また、駆動電圧形成回路５００は、電圧＋Ｖ１、−Ｖ１、＋Ｖ２及び−Ｖ２を生成する。このうち電圧＋Ｖ１及び−Ｖ１は、第１実施形態において、上述したように、Ｘ方向ダミー電極３９０及びＹ方向ダミー電極２９０に供給される電圧として使用される他、データ電極２１２に対して供給されるデータ電圧としても使用される。また、電圧＋Ｖ２及び−Ｖ２は、走査電極３１２に対して供給される走査信号としての選択電圧として使用される。
【００８０】
＜機械的構成＞
次に、第１実施形態に係る電気光学装置の機械的な構成について、図３及び図４を参照しながら説明する。ここに図３は、電気光学装置の全体構成を示す斜視図であり、図４は、この電気光学装置をＸ方向に沿って破断した場合の構成を示す部分断面図である。
【００８１】
これらの図に示されるように、電気光学装置は、観察者側に位置する第１基板３００と、その背面側に位置する第２基板２００とが、スペーサを兼ねる導電性粒子（導通材）１１４の混入されたシール材１１０によって、一定の間隔を保って貼り合わせられるとともに、この間隙に例えば（Ｔｗｉｓｔｅｄ　Ｎｅｍａｔｉｃ）型、ＳＴＮ（Ｓｕｐｅｒ　Ｔｗｉｓｔｅｄ　Ｎｅｍａｔｉｃ）型等の液晶１１８が封入された構成となっている。なお、シール材１１０は、図３及び図４に示すように、第１基板３００の内周縁に沿って枠状に形成されるが、その一部には、液晶１１８を封入するための開口部１１２が形成されている。この開口部１１２は、液晶１１８の封入後には、封止材によって封止される。また、図３及び図４からわかるように、第２基板２００の外形形状は、第１基板３００のそれよりも若干大きめに形成されており、両者が貼り合わされた状態では、前者が後者より、いわば「張り出す」ような形となる。
【００８２】
第１基板３００の、液晶１１８に対向する側の面（以下、「対向面」という。）には、行方向に延在して形成される走査電極３１２及びＸ方向ダミー電極３９０のほか、所定の方向にラビング処理が施された配向膜３０８が形成されている。ここで、第１基板３００に形成された走査電極３１２及びＸ方向ダミー電極３９０は、図４に示すように、第２基板２００に形成された配線３４２の一端に、シール材１１０に分散された導電性粒子１１４を介して接続されている。すなわち、第１基板３００に形成された走査電極３１２は、導電性粒子１１４及び配線３４２を介して、第２基板２００側に引き出された構成となっている。一方、第１基板３００の外側（観察側）には、偏光子１３１が貼り付けられて、その吸収軸が、配向膜３０８へのラビング処理の方向に対応して設定されている。
【００８３】
また、第２基板２００の対向面には、Ｙ方向に延在して形成されるデータ電極２１２及びＹ方向ダミー電極２９０のほか、所定の方向にラビング処理が施された配向膜２０８が形成されている。一方、第２基板２００の外側（観察側の反対側）には偏光子１２１が貼り付けられて（図３では省略）、その吸収軸が、配向膜２０８へのラビング処理の方向に対応して設定されている。このほかに、第２基板２００の外側には、均一に光を照射するバックライトユニットが設けられるが、本件とは直接には関係しないので、図示を省略している。
【００８４】
なお、第１実施形態においては、上述の偏光子１２１及び１３１の配置関係の如何等に応じ、いわゆる「ノーマリブラックモード」で駆動されるようになっている。ここでノーマリブラックモードとは、液晶１１８に電界がかけられていないとき、第１基板３００から第２基板２００へと光が透過しないように、偏光子１２１及び１３１の配置態様の設定等がされた場合に実現されるモードである。より具体的には、液晶１１８がＴＮ型液晶からなる場合においては、偏光子１２１により規定される偏光方向と偏光子１３１により規定されるそれとを平行な関係にする、等とすればよい。この場合、一般には、液晶１１８にかけられる電圧が大きければ大きいほど、また、その印加時間が長ければ長いほど、画像表示領域は白色表示されることになる。なお、「ノーマリブラックモード」を実現するためには、上述した構成の他、液晶１１８がＳＴＮ形液晶からなる場合や、ＤＳＴＮ（Ｄｏｕｂｌｅ　ＳＴＮ）形液晶からなる場合等に応じて、偏光子１２１及び１３１間で適当な角度差を設定し、あるいは位相差板（Ｒｅｔａｒｄａｔｉｏｎ　Ｆｉｌｍ）等の構成を別途設けること等が必要な場合がある。例えば、液晶１１８がＳＴＮ形である場合等においては、図４においては図示されていないが、当該液晶１１８を通過した楕円偏光の主軸を一定方向に回転させること（すなわち、色を消去すること）等を目的として、射出光側に位相差板が設けられることがある。
【００８５】
続いて、画像表示領域外について説明すると、図３に示すように、第１基板３００から張り出した第２基板２００上の二辺には、データ電極２１２を駆動するためのデータ電極駆動回路２５０、及び、走査電極３１２を駆動するための走査電極駆動回路３５０が、それぞれＣＯＧ（Ｃｈｉｐ　Ｏｎ　Ｇｌａｓｓ）技術により実装されている。これにより、データ電極駆動回路２５０は、データ電極２１２にデータ信号を直接的に供給する一方、走査電極駆動回路３５０は、配線３４２及び導電性粒子１１４を介して、走査電極３１２に走査信号を間接的に供給する構成となっている。
【００８６】
また、データ電極駆動回路２５０が実装される領域の外側近傍には、ＦＰＣ（Ｆｌｅｘｉｂｌｅ　Ｐｒｉｎｔｅｄ　Ｃｉｒｃｕｉｔ）基板が接合されて、制御回路などによる各種信号や電圧信号などが、走査電極駆動回路２５０及びデータ電極駆動回路３５０に供給される。
【００８７】
ここで第１実施形態においては、第２基板２００上に、Ｘ方向ダミー電極３９０及びＹ方向ダミー電極２９０を駆動するためのダミー電極駆動回路９００が、上述のデータ電極駆動回路２５０及び走査電極駆動回路３５０と同様に、ＣＯＧ技術により実装されている。ただし、第１実施形態におけるダミー電極駆動回路９００は、図２に示したように、比較的簡易な構成からなるから、場合によっては、第２基板２００上に直接に作りこむような形態としてもよい。
【００８８】
なお、図１におけるデータ電極駆動回路２５０及び走査電極駆動回路３５０は、図３とは異なり、それぞれ電気光学装置の左側及び上側にそれぞれ位置しているが、これは、電気的な構成を説明するための便宜上の措置に過ぎない。また、データ電極駆動回路３５０及び走査電極駆動回路２５０並びにダミー電極駆動回路９００を、それぞれ第２基板２００上にＣＯＧ実装する代わりに、例えば、ＴＡＢ（Ｔａｐｅ　Ｃａｒｒｉｅｒ　Ｐａｃｋａｇｅ）技術を用いて、各駆動回路が実装されたＴＣＰを異方性導電膜により電気的に接続する構成としてもよい。
【００８９】
＜駆動方法＞
以下では、上述のように構成された電気光学装置ないし画素部１１６の駆動方法、並びに、Ｘ方向ダミー電極３９０及びＹ方向ダミー電極２９０の駆動方法について説明する。なお、以下ではまず、走査電極３１２及びデータ電極２１２の最も基本的な動作を説明した後、Ｘ方向ダミー電極３９０及びＹ方向ダミー電極２９０の動作について、より詳しく説明を行うこととする。
【００９０】
まず、第１実施形態における走査電極３１２及びデータ電極２１２については、前述の走査電極駆動回路３５０及びデータ電極駆動回路２５０によって、図５に示すような駆動が実施される。図５において、走査電極３１２は、１行目（図１参照）から１本ずつ順次に選択されている。すなわち、第一に、１行目の走査電極３１２に走査信号としての選択電圧＋Ｖ２を印加した後、第二に、２行目の走査電極３１２に選択電圧＋Ｖ２を印加するとともに１行目の走査電極３１２には非選択電圧Ｖｃを印加する、ということが、ｍ行目の走査電極３１２まで続く。この選択は、前述のクロック信号ＨＣＫの立ち下がりのタイミングに同期するように行われる。
【００９１】
また、第１実施形態においては、図５に示すように、１行目から３行目までの走査電極３１２を選択する場合においては、選択電圧＋Ｖ２が印加され、４行目以降の走査電極３１２を選択する場合においては、選択電圧−Ｖ２が印加されるというように、一垂直走査期間（１Ｆ）内において、選択電圧の極性反転が行われている。すなわち、図示されている以降は、７行目以後の走査電極３１２には再び選択電圧＋Ｖ２が印加され、１０行目以後の走査電極３１２においては再び選択電圧−Ｖ２が印加される、というように、走査電極３１２三本ごとに印加される選択電圧の極性が反転されていくようになっている。これは、前述の極性反転信号ＦＲのレベルに応じて行われる（なお、以下では、このような極性反転を「ライン反転」といい、該ライン反転の単位となる走査電極数（上の例では３本）を「ライン反転数」ということがある。）。このような反転駆動を実施すれば、走査電極３１２に印加された電圧とデータ電極２１２に印加された電圧との合成波形（すなわち、画素部１１６における電圧波形）が、高周波成分を含むこととなり、クロストークの低減等を実現することができる。なお、何本の走査電極３１２ごとに極性を反転させるべきかは、走査電極３１２の総数ｍの具体値等によって適宜設定し得ることは言うまでもない。例えば、走査電極３１２の総本数が１６０（ｍ＝１６０）である場合においては１３本ごとに極性反転を行う、等とすると好ましい。また、一垂直走査期間毎に、極性反転すべき位置を変更していく形態とするとより好ましい。より具体的には例えば、ある垂直走査期間では、３行目から４行目の走査電極３１２に移行する場合に極性反転のタイミングを迎えるが、別の垂直走査期間では、当該部分では極性反転をせずに、４行目から５行目の走査電極３１２に移行する場合に極性反転する、等という形態とすると好ましい。
【００９２】
さらに、ｍ行目までの走査電極３１２までの選択が完了し、再び１行目の走査電極３１２を選択する際には、これに対しては、走査信号としての選択電圧−Ｖ２を印加するようになっている（図５では、１行目の走査電極３１２についてのみ示した。）。つまり、一垂直走査期間毎についても、極性が反転するような駆動が実施される。そして、これもまた、前述の極性反転信号ＦＲのレベルに応じて行われる。このような反転駆動を実施すれば、液晶１１８に直流成分が連続的にかかるという事態を回避することができ、その劣化を未然に防止することが可能となる。
【００９３】
他方、データ電極２１２に対しては、選択された走査電極３１２、かつ、各データ電極２１２に対応する階調データに基づいて生成されたデータ信号が供給されるようになっている。第１実施形態では、各データ電極２１２に対するデータ信号の転送は、該データ電極２１２の１本１本に対応するデータ信号を前述のクロック信号ＳＣＫのタイミングに従って順次ラッチした後、これらを一斉に全データ電極２１２に供給することにより行われる。また、第１実施形態では、データ信号としては、図５に示すように、オン電圧として、電圧＋Ｖ１・−Ｖ１がそれぞれ印加される（なお、これらの場合、オフ電圧はそれぞれ−Ｖ１・＋Ｖ１となる。）。ここで、＋Ｖ１か−Ｖ１かの選択は、表示データと極性反転信号ＦＲに応じる。このうち特に、極性反転信号ＦＲに応じた、＋Ｖ１又は−Ｖ１の選択は、すなわちデータ電圧に関する極性反転であって、これは、データ電極駆動回路２５０に設けられたラッチ回路（不図示）において極性反転信号ＦＲをラッチすることにより行われる。第１実施形態においては特に、前記ラッチ回路が、クロック信号ＨＣＫの立ち下がりのタイミングに同期して、極性反転信号ＦＲをラッチするようになっている。
【００９４】
以上が、走査電極３１２及びデータ電極２１２の最も基本的な動作である。
【００９５】
そして、第１実施形態では特に、この動作と並行して、ダミー電極２９０及び３９０の駆動が以下のように行われる。以下では、これを図６を参照しながら説明する。ここに図６は、第１実施形態に係るダミー電極２９０及び３９０の駆動方法を説明するためのタイミングチャートである。
【００９６】
まず、Ｙ方向ダミー電極２９０については、その表示状態が常にオン状態となるようなデータ信号が供給されている。すなわち、該Ｙ方向ダミー電極２９０には、＋Ｖ１又は‐Ｖ１が常に供給され続けることになる。より具体的には、既に参照した図２に示すように、フリップフロップＤＦＦ１は、クロック信号ＨＣＫに従って、極性反転信号ＦＲの値を出力ＱとしてアナログスイッチＡＳ１に供給する。アナログスイッチＡＳ１では、例えば、極性反転信号ＦＲがＨレベルにあるときは電圧＋Ｖ１を出力し、Ｌレベルにあるときは電圧−Ｖ１を出力する。したがって、Ｙ方向ダミー電極２９０には、極性反転信号ＦＲに応じたオン信号（＝＋Ｖ１又は−Ｖ１）が供給されることになる（図６参照）。なお、第１実施形態では特に、フリップフロップＤＦＦ１は、クロック信号ＨＣＫの立ち上がりに応じて、極性反転信号ＦＲの値を出力するようになっている。したがって、Ｙ方向ダミー電極２９０は、クロック信号ＨＣＫの立ち上がりに応じるように、その極性を反転する。
【００９７】
一方、Ｘ方向ダミー電極３９０については、一水平走査期間（１Ｈ）の中間点において、その極性が反転する信号が供給されている。より具体的には、図６に示すように、まず、カウンタＣＴが、クロック信号ＨＣＫを起点として、クロック信号ＳＣＫの立ち上がりを所定数だけカウントする。ここでは、上述したようにデータ電極２１２一本ずつに順次にデータ信号がラッチされるようになっているから、該データ電極２１２の総数ｎ本の半分、すなわちｎ／２だけカウントするようになっている。つまり、このカウントに要する時間は、一水平走査期間（１Ｈ）の中間点に達するまでの時間に一致する。そして、このｎ／２をカウントすると、カウンタＣＴは、図２に示したように、カウンタ信号ＣＫ１をフリップフロップＤＦＦ２の入力ＣＫとして供給する。ここで、フリップフロップＤＦＦ２は、入力Ｄとして、自身の出力／Ｑが供給されるようになっているから、これはＴ−フリップフロップとして機能し、前記カウンタ信号ＣＫ１に従って、反転した出力ＱをアナログスイッチＡＳ２に供給する。アナログスイッチＡＳ２では、例えば、出力ＱがＬレベルであるときは電圧＋Ｖ１を出力し、出力ＱがＨレベルであるときは電圧−Ｖ１を出力する。このように、Ｘ方向ダミー電極３９０には、一水平走査期間（１Ｈ）の中間点において、その極性が反転する信号が供給されることになる。
【００９８】
このような駆動が、ダミー電極２９０及び３９０について実施されることによって、周辺領域では以下のような表示が行われることになる。すなわちまず、Ｙ方向ダミー電極２９０の表示状態が、常にオン状態とされていることにより、これと交差する走査電極３１２のいずれが選択されようとも、そこは必ず白色表示されることになる。つまり、図１中、１列目のデータ電極２１２の左側に位置する周辺領域及びｎ列目のデータ電極２１２の右側に位置する周辺領域では、常に、白色表示が実現されることになる。
【００９９】
一方、Ｘ方向ダミー電極３９０では、一水平走査期間（１Ｈ）の中間点において、その極性が反転される信号が供給されていることにより、これと交差するデータ電極２１２にどのような信号が供給されようとも、該Ｘ方向ダミー電極３９０に対応する画素部１１６Ｄの表示状態は常にオン状態とされていることになる。
【０１００】
以下では、このことを、Ｘ方向ダミー電極３９０に交差する上述のＹ方向ダミー電極２９０との関係に着目して、図７を参照しながら説明することとする。ここに図７は、Ｙ方向ダミー電極２９０に印加される電圧の波形例（図７（ａ））、Ｘ方向ダミー電極３９０に印加される電圧の波形例（図７（ｂ））、及びこれらダミー電極２９０及び３９０の交差領域に対応する液晶１１８Ｄに印加される電圧の波形例（図７（ｃ））、をそれぞれ示す図である。
【０１０１】
この図７において、Ｙ方向ダミー電極２９０及びＸ方向ダミー電極３９０は、既に述べたような駆動が実施されている。すなわち、Ｙ方向ダミー電極２９０は、極性反転信号ＦＲに応じて、電圧＋Ｖ１又は−Ｖ１が印加されている（図７（ａ）及び図６参照）。一方、Ｘ方向ダミー電極３９０は、一水平走査期間（１Ｈ）の中間点において、その極性が反転する電圧が印加されており、より具体的には、一水平走査期間（１Ｈ）の前半部分では電圧−Ｖ１が印加され、その後半部分では電圧＋Ｖ１が印加されている（図７（ｂ）参照）。
【０１０２】
したがって、これらＹ方向ダミー電極２９０及びＸ方向ダミー電極３９０の交差領域における液晶１１８Ｄには、図７（ｃ）に示されるように、Ｙ方向ダミー電極２９０に印加される電圧とＸ方向ダミー電極３９０に印加される電圧との差に対応する電圧が印加されることになる。例えば、図中最初の水平走査期間（１Ｈ）の前半部分では、Ｙ方向ダミー電極２９０には＋Ｖ１が印加され、Ｘ方向ダミー電極３９０には−Ｖ１が印加される結果、当該液晶には、電圧＋２Ｖ１が印加されることになる。また、その後半部分では、Ｙ方向ダミー電極２９０にはそのまま＋Ｖ１が印加され、Ｘ方向ダミー電極３９０には当該水平走査期間（１Ｈ）の中間点で切り替わった電圧＋Ｖ１が印加される結果、当該液晶１１８Ｄには、０ボルトの電圧が印加されることになる（すなわち、両者間の電圧差はなくなることになる。）。以降、続く水平走査期間（１Ｈ）においても同様であり、液晶１１８Ｄには、結果的に図７（ｃ）に示されているような電圧が印加されることになる。ここで、Ｖ１の値を適当に設定すれば、当該液晶１１８Ｄにかかる実効電圧値を所定値以上とすること、すなわち該液晶１１８Ｄに対して白色表示可能な電圧以上の実効電圧値を印加することが可能となる。
【０１０３】
例えば、液晶容量１１８Ｄの表示状態がオン状態となる実効電圧値が１．９６〔Ｖ〕であり、オフ状態となるそれが１．７９〔Ｖ〕であって、一水平走査期間（１Ｈ）の長さが、７０〔μｓ〕である場合においては、いま仮に、第１実施形態における中間電圧Ｖｍが０〔Ｖ〕であるという仮定を捨て、＋Ｖ１＝３．０〔Ｖ〕、−Ｖ１＝０〔Ｖ〕という場合を仮定すると、図７（ｃ）に示すような場合において、液晶に印加される実効電圧値は、約２．１２〔Ｖ〕となり、十分に駆動電圧を越えさせることが可能となる。
【０１０４】
そして、重要なのは、Ｘ方向ダミー電極３９０における電圧印加の態様を、上述のように一水平走査期間（１Ｈ）の中間点においてその極性を反転させることとすれば、データ電極２１２に対してどのような電圧波形が印加されようとも、必ず、液晶１１８Ｄにかけられる電圧値は、その表示状態がオン状態となるのに必要な実効電圧値を超えることにある。例えば、図８に示すように、走査電極３１２が順次、選択されている場合において、或るデータ電極２１２に、図８（ａ）に示すようなデータ信号が印加されたとしても、それに交差するＸ方向ダミー電極３９０には、図８（ｂ）に示す波形の電圧が印加されることになるから、それらの合成波形は、図８（ｃ）に示すようなものとなる。なお、図８（ｂ）は、図７（ｂ）に全く同じであることは言うまでもない。
【０１０５】
要するに、図１中、１行目の走査電極３１２の上側に位置する周辺領域及びｍ行目の走査電極３１２の下側に位置する周辺領域では、常に、白色表示が実現されることになるのである。
【０１０６】
以上述べたように、第１実施形態に係る電気光学装置及びその駆動方法によれば、Ｘ方向ダミー電極３９０及びＹ方向ダミー電極２９０が設けられるとともに、これらダミー電極３９０及び２９０が上述のように駆動されることによって、周辺領域における常時の白色表示が行われることになる。そして、これによって、画像表示領域ＤＡＲの際（きわ）において、画像又は文字等を表示する場合にあって、該画像又は文字等の縁が、周辺領域にかかったとしても、これらの認識が困難になるという事態を有効に解消することができる。
【０１０７】
そして更に、第１実施形態では特に、上述のＹ方向ダミー電極２９０に対する電圧の印加（図６参照）と、通常のデータ電極２１２に対する電圧の印加（図５参照）との間には、図９に示すような特有の関係がある。ここに図９は、Ｙ方向ダミー電極２９０に印加される電圧の波形例及びデータ電極２１２のある一列に印加される電圧の波形例の関係、並びに、その関係を説明するための信号等の波形例を併せて示すタイミングチャートである。
【０１０８】
まず、図９（ａ）に示すように、極性反転信号ＦＲが、一定の周期をもってプラス極性かマイナス極成かの指示を与えている。第１実施形態では、上述したように、走査電極３１２三本ごとに極性反転が行われるようになっているから、前記一定の周期とは、図９（ａ）に示す一水平走査期間を規定するクロック信号ＨＣＫ三つ分に対応する期間がそれに該当する。また、図９（ｃ）には、Ｙ方向ダミー電極２９０に印加される電圧の波形例が示されており、これも上述したように、極性反転信号ＦＲに応じてその極性を反転し、かつ、反転タイミングは、クロック信号ＨＣＫの立ち上がりに対応している。以上は、図６にも示したとおりのところでもある。
【０１０９】
そして、第１実施形態では特に、図９（ｄ）に示すように、データ電極２１２に印加される電圧の極性反転のタイミングは、図９（ｃ）のＹ方向ダミー電極２９０に印加される電圧の極性反転タイミングよりも、期間ＩＮＴだけ遅延している。より具体的には、上述したように、データ電極駆動回路２５０中におけるラッチ回路が、クロック信号ＨＣＫの立ち下がりのタイミングに同期して極性反転信号ＦＲをラッチするようになっているため、データ電圧の極性反転タイミングは、当該立ち下がりのタイミングで訪れるのに対し、図９（ｂ）のＹ方向ダミー電極２９０における極性反転タイミングは、クロック信号ＨＣＫの立ち上がりのタイミングに同期して訪れることから、後者は前者に比べて、クロック信号ＨＣＫがＨレベルにある期間ＩＮＴだけ遅延することとなるのである。なお、ある走査電極３１２に印加される選択電圧は、図９（ｅ）に示すように、Ｙ方向ダミー電極に印加される電圧の極性反転タイミングよりも、期間ＩＮＴだけ遅延して、印加されるようになっている。
【０１１０】
このような、図９（ｃ）と図９（ｄ）及び（ｅ）との間の期間ＩＮＴについて見ると、該期間ＩＮＴに入った直後、Ｙ方向ダミー電極２９０に電圧＋Ｖ１が印加されはじめた状況下では、データ電極２１２の極性反転は未だ行われず、また、走査電極３１２には非選択電圧＋Ｖ２が印加されているという状態になり、以後、当該期間ＩＮＴ中はその状態が維持される。したがって、当該期間ＩＮＴ中、Ｙ方向ダミー電極２９０による周辺領域における階調表示は、データ電極２１２による画像表示領域における階調表示よりも、より濃くなることになるのである。ちなみに、図９中の期間ＩＮＴは、Ｙ方向ダミー電極２９０に印加される電圧の極性が、マイナス極性からプラス極性に遷移する場合のものであるが、その逆の極性反転においても同様なことがいえる。
【０１１１】
このように、第１実施形態では、データ電極２１２に対して印加されるデータ電圧の極性反転タイミングが、Ｙ方向ダミー電極２９０に対して印加される電圧のそれよりも、所定の期間ＩＮＴ経った時点で訪れることにより、Ｙ方向ダミー電極２９０に対応する画素部１１６Ｄの階調表示、すなわち周辺領域における階調表示は、従前よりも濃くなる。一方で、データ電極２１２に対応する画素部１１６の階調表示、すなわち画像表示領域における階調表示は、従前どおりの濃度の階調表示が行われる。
【０１１２】
したがって、第１実施形態によれば、画像表示領域ＤＡＲと周辺領域との間の濃度差を有効に解消することが可能となるのである。これを図示すれば、例えば図１０のようになる。ここに図１０は、電気光学装置による画像の表示例を示す図であって、（ａ）は第１実施形態に係る電気光学装置による画像の表示例、（ｂ）は図９に示した遅延期間ＩＮＴを設けない場合の電気光学装置による画像の表示例をそれぞれ示している。
【０１１３】
まず、図１０（ａ）及び（ｂ）のいずれにおいても、画像表示領域ＤＡＲの際に表示されている文字列「ＡＢＣＤ」のうちの「Ａ」という文字は、図中上下方向に延びる、Ｙ方向ダミー電極２９０が設けられている周辺領域ＰＡＲにその端がかかっているものの、その認識が困難とはなっていない。これは、図１０と同趣旨の従来例たる図１１に示すように、従来の電気光学装置においては、周辺領域ＰＡＲが黒色表示されていたため、文字「Ａ」の端が周辺領域ＰＡＲにかかると、その認識が困難となっていたことと対照的である。すなわち、第１実施形態では、まず、画像表示領域ＤＡＲの際に画像又は文字等を表示する場合であっても、それが周辺領域ＰＡＲにかかることによって、該画像又は文字等の認識が困難になるということがないのである。
【０１１４】
しかしながら、図１０（ｂ）においては、画像表示領域ＤＡＲが、やや濃い目の灰色で表示されているのに対して、周辺領域ＰＡＲはより白色に近い表示がなされているため、画像表示領域ＤＡＲ及び周辺領域ＰＡＲ間の濃度差が画像上の見栄えを悪化させている。これは、背景技術の項で述べたように、画像表示領域ＤＡＲ中のデータ電極２１２に対しては、画像表示のため極性の切り替えが比較的多いデータ電圧が供給されるため、波形鈍りの影響をより大きく受けていることによる。
【０１１５】
しかるに、第１実施形態における電気光学装置では、図９を参照して説明したように、Ｙ方向ダミー電極２９０に対する電圧の極性反転タイミングに対して、データ電圧の極性反転タイミングを、所定の期間ＩＮＴだけ遅らせることで、周辺領域ＰＡＲにおける階調表示をより濃くすることにより、図１０（ａ）に示すように、画像表示領域ＤＡＲ及び周辺領域ＰＡＲ間の濃度差を有効に解消することが可能となっているのである。しかも、最初に述べたように、この場合においても、文字「Ａ」の認識が困難となるようなことはない。
【０１１６】
以上述べたように、第１実施形態によれば、画像表示領域ＤＡＲの際で画像又は文字等を表示する場合であっても、その認識を容易になしえるとともに、周辺領域ＰＡＲと画像表示領域ＤＡＲの濃度差の発生を極力抑えることによって、見栄えのよい画像を表示することができる。
【０１１７】
また、第１実施形態によれば、上述のような作用効果を、図５を参照して説明したライン反転数の如何に関わらず享受することが可能である。すなわち、たとえライン反転数が変わったとしても、その反転のタイミングに応じて、図９に示したような期間ＩＮＴが設けられることに変わりはなく、極性反転時における波形鈍りによる印加電圧差は、当該期間ＩＮＴの経過によって自動的に補正されるので、ライン反転数に応じた、自動的な濃度差解消が行われることになるのである。
【０１１８】
なお、図９における期間ＩＮＴの具体的な長さは、画像表示領域ＤＡＲ及び周辺領域ＰＡＲ間の濃度差の発生が、データ電圧の極性反転に伴う波形鈍りに大きく依存していることから、これを、該データ電圧の立ち上がり時及び立ち下がり時における波形鈍りの生じる期間に基づいて規定するとよい。例えば、図１２に示すように、波形鈍りＤが、図１２（ｄ）の最左方に示されるように観察されるならば、期間ＩＮＴの長さは、図１２（ｃ）に示すように、該波形鈍りＤが生じる期間に一致させるようにとるとよい。なお、図１２（ｃ）及び（ｄ）は、図９のうち（ｃ）及び（ｄ）についてのみ、すなわちＹ方向ダミー電極２９０に印加する電圧波形とデータ電極２１２に印加する電圧波形のみについて抜き出して描いた図である。また、図１２においては、波形鈍りＤが、図中最左方に示される立ち上がり時においてのみ観察されるような図示をしているが、実際には、各波形の立ち上がり時及び立ち下がり時において、同様な波形鈍りが観察されることになる。
【０１１９】
また、上記の実施形態では、Ｙ方向ダミー電極２９０における極性反転タイミングが、クロック信号ＨＣＫの立ち上がりに応じ、データ電極２１２における極性反転タイミングが、クロック信号ＨＣＫの立ち下がりに応じていたが、本発明においては、これらの対応を逆にしてもよい。この場合、データ電極２１２の極性反転タイミングから期間ＩＮＴだけ遅れて、Ｙ方向ダミー電極２９０の極性反転タイミングが訪れることになるが、このような場合においても、上述と同様な作用効果が得られることは明白である（なお、Ｙ方向ダミー電極２９０の極性反転タイミングの方が遅れることについては、後記第２実施形態、あるいは図１４参照。）。
【０１２０】
（第２実施形態）
以下では、本発明の第２実施形態について、図１３及び図１４を参照しながら説明する。ここに、図１３は、図２と同趣旨の図であって、第２実施形態に係る電気光学装置に設置されるダミー電極駆動回路のブロック図であり、図１４は、図９と同趣旨の図であって、第２実施形態に係る電気光学装置の駆動方法を示すタイミングチャートである。なお、第２実施形態では、電気光学装置の構成並びに走査電極３１２及びデータ電極２１２の基本的な駆動方法等については、上述の第１実施形態と概ね同様であるので、その点に関する説明については適宜省略ないし簡略化することとし、第２実施形態における特徴的な部分について主に説明を加えることとする。
【０１２１】
第２実施形態ではまず、図１３に示すように、ダミー電極駆動回路９００´において、フリップフロップＤＦＦ１の入力ＣＫとして供給されるクロック信号ＨＣＫの供給線に、遅延回路９０１が設けられている。より具体的には、この遅延回路９０１は、よく知られている抵抗及びコンデンサからなるＲＣ回路等で構成すればよい。これにより、フリップフロップＤＦＦ１に供給されるクロック信号ＨＣＫは、時定数ＲＣ（ただし、Ｒは抵抗の抵抗値、Ｃはコンデンサの容量値）の寄与分だけ遅延することとなる。
【０１２２】
このようなダミー電極駆動回路９００´を備えた電気光学装置においては、図１４に示すような駆動が行われることになる。まず、この図１４（ｃ）及び（ｄ）において、データ電極２１２に対して印加される電圧の波形及びその極性反転タイミング、並びに、ある走査電極３１２に対して印加される選択電圧の波形について示されているが、この点については、図９（ｃ）及び（ｄ）と全く同様である。すなわち、データ電極２１２に印加される電圧の極性反転タイミングは、クロック信号ＨＣＫの立ち下がりのタイミングに同期し（図１４（ｃ））、走査電極３１２に対する選択電圧の印加タイミングもまた、クロック信号ＨＣＫの立ち下がりのタイミングに同期している（図１４（ｄ））。
【０１２３】
ここで第２実施形態においては特に、図１４（ｂ）に破線で示すように、ダミー電極駆動回路９００´のフリップフロップＤＦＦ１に到達するクロック信号ＨＣＫが、遅延なきクロック信号ＨＣＫの立ち下がりに対して、期間ＩＮＴａだけ遅延されている。これは、図１３に示した遅延回路９０１の作用による。そして、このようなことから、図１４（ｃ）と図９（ｃ）とを対比するとわかるように、本来であれば、図１４（ｂ）中最左方に実線で示される遅延なきクロック信号ＨＣＫの立ち上がりに応じて、Ｙ方向ダミー電極２９０に印加される電圧の極性反転が行われるはずのところ、図１４（ｃ）においては、その右隣に破線で示された遅延あるクロック信号ＨＣＫの立ち上がりに応じて極性反転が行われている。その結果、図１４においては、Ｙ方向ダミー電極２９０に対して印加される電圧の極性反転タイミングが、データ電極２１２に印加される電圧の極性反転タイミングよりも、期間ＩＮＴａ分だけ遅延することとなっている。
【０１２４】
このような、図１４（ｃ）と図１４（ｄ）及び（ｅ）との間の期間ＩＮＴａについて見ると、該期間ＩＮＴａに入った直後、Ｙ方向ダミー電極２９０における極性反転タイミングが未だ訪れていない状況下で、データ電極２１２における極性反転は既に行われており、また、走査電極３１２には選択電圧−Ｖ２が印加されているという状態になり、以後、当該期間ＩＮＴａ中はその状態が維持される。
【０１２５】
このように、第２実施形態においても、上記第１実施形態と類似の状況が作り出されることがわかる。すなわち、上記第１実施形態とはちょうど逆転した関係になるが、データ電極２１２に対して印加されるデータ電圧の極性反転タイミングが、Ｙ方向ダミー電極に対して印加される電圧のそれよりも、所定の期間ＩＮＴａだけ遡った時点に訪れることにより、Ｙ方向ダミー電極２９０に対応する画素部１１６Ｄの階調表示とデータ電極２１２に対応する画素部１１６の階調表示との濃度差の解消が行われることになるのである。したがって、第２実施形態によっても、既に参照した図１０（ａ）と略同様な作用効果を得ることが可能となる。
【０１２６】
なお、上記第２実施形態では、遅延回路９０１は、ＲＣ回路として説明したが、同等な遅延時間を実現する場合に、反転回路によってクロック信号ＨＣＫを反転した後に、ＲＣ回路に入力する構成とすることによって、クロック信号ＨＣＫのＨｉｇｈ期間だけ遅延時間を短く設定することが可能である。このことにより、ＲＣ回路の抵抗Ｒや、コンデンサＣの値を小さく設定することが可能となり、より小さな遅延回路９０１を実現することができる。
【０１２７】
また、上記第２実施形態では、遅延回路９０１が、フリップフロップＤＦＦ１の入力ＣＫとして供給されるクロック信号ＨＣＫの供給線に設けられていたが、これに代えて又は場合により加えて、図１５に示すように、フリップフロップＤＦＦ１の出力ＱとアナログスイッチＡＳ１との間に、遅延回路９０１´を設けてもよい。このような形態でも、上述と略同様な作用効果が奏されることは変わりない。
【０１２８】
なお、上記各実施形態においては、周辺領域において、基本的には、白色表示を行う形態について説明したが、本発明は、このような形態に限定されるものではない。例えば、ダミー電極２９０及び３９０それぞれに適当な波形の電圧を印加することで、当該液晶１１８Ｄに適当な合成波形が印加されるようにし、周辺領域において、そもそもの当初から、中間調表示を行うような形態としてもよい。
【０１２９】
より具体的には、Ｘ方向ダミー電極３９０に対し、図１６に示すように、一水平走査期間（１Ｈ）の中間点でその極性が反転する信号であって、該水平走査期間の開始時から所定の期間ＩＮＴ１及び該期間の終了時から遡る所定の期間ＩＮＴ２の少なくとも一方において中間電圧値が印加される信号などとすることが可能である。このような場合では、図７（ｂ）あるいは図８（ｂ）に示すような波形例に比べて、液晶１１８Ｄにかかる実効電圧値を小さくすることが可能となる。また、これらの所定の期間ＩＮＴ１及びＩＮＴ２の長さを調整することによって、液晶１１８Ｄに対して印加される電圧値を調整することも可能である。したがって、このような形態によれば、例えば、図７（ｂ）あるいは図８（ｂ）に示したような波形によると液晶１１８Ｄに対して過剰な電圧がかかるという場合において有効であることがわかる。なお、図１６においては、所定の期間ＩＮＴ１及びＩＮＴ２を一水平走査期間の開始時及び終了時のいずれについても設けているが、本発明は、このような形態に限定されるものではない。例えば、期間ＩＮＴ１のみ、又は期間ＩＮＴ２のみを設けるような形態としてよいことは勿論である。
【０１３０】
また、この図１６に示すような形態では、液晶１１８Ｄにかかる電圧値が小さくなることにより、周辺領域ＰＡＲで、中間調表示を行うことが可能となる。したがって、本形態によれば、周辺領域ＰＡＲを単に白色表示にするというのではなくて、当該電気光学装置の使用環境等に応じ、よりきめ細かな対応を行うことが可能である。なお、このような場合であっても、画像表示領域ＤＡＲ内に表示される画像又は文字等の階調によっては、該画像又は文字等と周辺領域ＰＡＲとの区別を容易になし得る場合を想定することは容易にできるから、本発明の課題解決が妨げられるということはない。
【０１３１】
要するに、本発明においては、最低限、周辺領域ＰＡＲにおいて、画像表示領域ＤＡＲ内に表示される画像の階調とは異なる階調の表示がなされるようにすればよい。そのようであれば、本発明に係る課題を、ある程度解決することができるのである。
【０１３２】
ちなみに、上記ではノーマリブラックモードを前提とした説明を行ったが、ノーマリホワイトモードであっても本発明の適用が可能なことは言うまでもない。この場合、ダミー電極２９０及び３９０によって、周辺領域ＰＡＲが白色表示されるのではなく、黒色表示されることになるに過ぎず、本質的な差異は何もない。
【０１３３】
（電子機器）
次に、上述した実施形態に係る電気光学装置を電子機器に用いた例について説明する。
【０１３４】
＜モバイル型コンピュータ＞
まず、上述し電気光学装置を、パーソナルコンピュータの表示部に適用した例について説明する。図１７は、このパーソナルコンピュータの構成を示す斜視図である。この図において、コンピュータ１１００は、キーボード１１０２を備えた本体部１１０４と、表示部として用いられる表示装置１００とを備えている。なお、表示装置１００として透過型液晶表示装置を用いる場合には、暗所での視認性を確保するため、背面にバックライト（図示略）が設けられる。
【０１３５】
＜携帯電話＞
次に、上述した電気光学装置を、携帯電話の表示部に適用した例について説明する。図１８は、この携帯電話の構成を示す斜視図である。この図において、携帯電話１２００は、複数の操作ボタン１２０２のほか、受話口１２０４、送話口１２０６とともに、上述した電気光学装置を表示装置１００として備えるものである。なお、表示装置１００として、液晶装置を用いる場合には、暗所での視認性を確保するため、透過型や半透過半反射型であればバックライトが、反射型であればフロントライト（いずれも図示省略）がそれぞれ設けられる。
【０１３６】
＜デジタルスチルカメラ＞
次に、上述した電気光学装置を、ファインダに用いたデジタルスチルカメラについて説明する。図１９は、このデジタルスチルカメラの背面を示す斜視図である。通常の銀塩カメラは、被写体の光像によってフィルムを感光させるのに対し、デジタルスチルカメラ１３００は、被写体の光像をＣＣＤなどの撮像素子により光電変換して撮像信号を生成するものである。ここでデジタルスチルカメラにおけるケース１３０２の背面には、上述した電気光学装置が表示装置１００として設けられ、ＣＣＤによる撮像信号に基づいて、表示を行うようになっている。このため、表示装置１００は、被写体を表示するファインダとして機能することになる。また、ケース１３０２の前面側（図においては裏面側）には、光学レンズやＣＣＤなどを含んで受光ユニット１３０４が設けられている。
【０１３７】
ここで撮影者が、表示装置１００に表示された被写像を確認して、シャッタボタン１３０６を押下すると、その時点におけるＣＣＤの撮像信号が、回路基板１３０８のメモリに転送・格納される。
【０１３８】
また、デジタルスチルカメラ１３００にあっては、ケース１３０２の側面に外部表示を行うために、ビデオ信号出力端子１３１２と、データ通信用の入力端子１３１４とが設けられている。
【０１３９】
なお、電子機器としては、これらの他、液晶テレビや、ビューファインダ型、モニタ直視型のビデオテープレコーダ、カーナビゲーションシステム、ページャ、電子手帳、電卓、ワードプロセッサ、ワークステーション、テレビ電話、ＰＯＳ端末、タッチパネルを備えた機器等が挙げられる。
【０１４０】
本発明は、上述した実施形態に限られるものではなく、請求の範囲及び明細書全体から読み取れる発明の要旨、あるいは思想に反しない範囲で適宜変更可能であり、そのような変更を伴う電気光学装置及びその駆動方法並びに電子機器もまた、本発明の技術的範囲に含まれるものである。
【図面の簡単な説明】
【図１】本発明の第１実施形態に係る電気光学装置の電気的な構成を示すブロック図である。
【図２】ダミー電極駆動回路の電気的な構成を示すブロック図である。
【図３】同電気光学装置の構成を示す斜視図である。
【図４】同電気光学装置をＸ方向で破断した場合の構成を示す部分断面図である。
【図５】本実施形態に係る電気光学装置の走査電極及びデータ電極の駆動方法を示す説明図である。
【図６】本実施形態に係るダミー電極の駆動方法を説明するためのタイミングチャートである。
【図７】Ｘ方向ダミー電極に印加される電圧波形によって白色表示がなされることを示す説明図であって、（ａ）はＹ方向ダミー電極に印加される電圧の波形例、（ｂ）はＸ方向ダミー電極に印加される電圧の波形例、（ｃ）はこれらの電極の交差領域に対応する液晶に印加される電圧の波形例、をそれぞれ示している。
【図８】Ｘ方向ダミー電極に印加される電圧波形によって白色表示がなされることを示す説明図であって、（ａ）は一般のデータ電極に印加される電圧の波形例、（ｂ）はＸ方向ダミー電極に印加される電圧の波形例、（ｃ）はこれらの電極の交差領域に対応する液晶容量に印加される電圧の波形例、をそれぞれ示している。
【図９】Ｙ方向ダミー電極２９０に印加される電圧の波形例及びデータ電極２１２のある一列に印加される電圧の波形例の関係、並びに、その関係を説明するための信号等の波形例を併せて示すタイミングチャートである。
【図１０】電気光学装置の画像の表示例を示す図であって、（ａ）は本実施形態に係る電気光学装置の画像の表示例、（ｂ）は図９に示す期間ＩＮＴを設けない場合の画像の表示例、をそれぞれ示している。
【図１１】従来の電気光学装置の画像の表示例を示す図である。
【図１２】図９における（ｃ）及び（ｄ）と同趣旨の図であって、遅延させる期間ＩＮＴの決定を、データ電圧にみられる波形鈍りに基づいて行う方法の一例を示す説明図である。
【図１３】図２と同趣旨の図であって、第２実施形態に係る電気光学装置に設置されるダミー電極駆動回路のブロック図である。
【図１４】図９と同趣旨の図であって、第２実施形態に係る電気光学装置の駆動方法を示すタイミングチャートである。
【図１５】図１３とは別形態となる、ダミー電極駆動回路のブロック図である。
【図１６】図７及び図８と同趣旨の図であって、Ｘ方向ダミー電極に印加される電圧波形の変形例を示す図である。
【図１７】実施形態に係る電気光学装置を適用した電子機器の一例たるパーソナルコンピュータの構成を示す斜視図である。
【図１８】同電気光学装置を適用した電子機器の一例たる携帯電話の構成を示す斜視図である。
【図１９】同電気光学装置を適用した電子機器の一例たるディジタルスチルカメラの背面構成を示す斜視図である。
【符号の説明】
１１６……画素部
１１８……液晶
２００……第２基板
２１２……データ電極
２５０……データ電極駆動回路
２９０……Ｙ方向ダミー電極（第１表示領域外導電部）
３００……第１基板
３１２……走査電極
３５０……走査電極駆動回路
３９０……Ｘ方向ダミー電極（第２表示領域外導電部）
９００、９００´……ダミー電極駆動回路
１１００……パーソナルコンピュータ
１２００……携帯電話
１３００……ディジタルスチルカメラ
【図１】
2004037496.tif 000003
【図２】
2004037496.tif 000004
【図３】
2004037496.tif 000005
【図４】
2004037496.tif 000006
【図５】
2004037496.tif 000007
【図６】
2004037496.tif 000008
【図７】
2004037496.tif 000009
【図８】
2004037496.tif 000010
【図９】
2004037496.tif 000011
【図１０】
2004037496.tif 000012
【図１１】
2004037496.tif 000013
【図１２】
2004037496.tif 000014
【図１３】
2004037496.tif 000015
【図１４】
2004037496.tif 000016
【図１５】
2004037496.tif 000017
【図１６】
2004037496.tif 000018
【図１７】
2004037496.tif 000019
【図１８】
2004037496.tif 000020
【図１９】
2004037496.tif 000021